(57)【特許請求の範囲】
【請求項１】
２以上の分割体からなるマスクであって、
前記分割体には、それぞれスライドファスナーの務歯が設けられ、
前記分割体どうしは、スライドファスナーによって連結可能であって分離可能であり、
２以上の前記分割体のうち少なくとも１の該分割体には、着色、及び／又は模様、画像、若しくは文字が付され、
種々の前記分割体を組み合わせることで、多様なバリエーションのマスクを形成することができる、
ことを特徴とする組合せ式マスク。
【請求項２】
前記分割体が、人の口及び鼻を覆う中央分割体と、右耳に掛ける右分割体と、左耳に掛ける左分割体であり、
前記中央分割体の右端及び左端には、スライドファスナーの務歯が設けられ、
前記右分割体の一端には、スライドファスナーの務歯が設けられ、
前記左分割体の一端には、スライドファスナーの務歯が設けられ、
前記中央分割体と前記右分割体は、スライドファスナーによって連結可能であって分離可能であり、
前記中央分割体と前記左分割体は、スライドファスナーによって連結可能であって分離可能である、
ことを特徴とする請求項１記載の組合せ式マスク。
【請求項３】
前記分割体が、右耳に掛ける右分割体と、左耳に掛ける左分割体であり、
前記右分割体の一端には、スライドファスナーの務歯が設けられ、
前記左分割体の一端には、スライドファスナーの務歯が設けられ、
前記右分割体と前記左分割体は、スライドファスナーによって連結可能であって分離可能である、
ことを特徴とする請求項１記載の組合せ式マスク。
【請求項４】
前記右分割体には、右収容部が設けられ、
前記左分割体には、左収容部が設けられ、
前記右収容部にガーゼの一部を収容するとともに、前記左収容部にガーゼの一部を収容することによって、人の口及び鼻の前面にガーゼを配置し得る、
ことを特徴とする請求項２又は請求項３記載の組合せ式マスク。
【請求項５】
前記分割体に、覆体が設けられ、
前記覆体によってスライドファスナーを覆い隠すことができる、
ことを特徴とする請求項１乃至請求項４のいずれかに記載の組合せ式マスク。
【発明の詳細な説明】
【技術分野】
【０００１】
本願発明は、家庭用マスクや医療用マスク（サージカルマスク）、産業用マスクといったマスクに関するものであり、より具体的には、ユーザがそのデザインを選択することができる組合せ式マスクに関するものである。
【背景技術】
【０００２】
風邪やインフルエンザの症状がある者は、咳やくしゃみによる飛沫防止のためマスクを着用することが多い。また、花粉によるアレルギー症状を起こしやすい者も、花粉を遮断するためマスクを着用する。日本人は、咳エチケットなど他人へ配慮する傾向が強く、欧米諸国に比べマスクを着用する者が多いことで知られている。一方の欧米諸国ではマスクを着用している者は病人と見られる傾向があり、そのためマスクの着用には抵抗があるとされている。もちろん日本人のなかにも、マスクの着用を好まない者もいる。
【０００３】
ところが、昨今の新型コロナウイルス感染症（ＣＯＶＩＤ−１９）の影響で、外出するほとんどの者がマスクを着用するようになった。今やマスク不足は世界的な現象となっている。そしてこの新型コロナウイルス感染症は、効果的な治療薬やワクチンが開発されるまでの期間が長期化することが予測されている。
【０００４】
風邪やインフルエンザのためにマスクを着用する時期は概ね冬季であり、花粉症のためにマスクを着用する時期は概ね春季であるなど、これまでマスクをする時期はある程度限られていた。しかしながら新型コロナウイルス感染症は、季節に関わらず感染するといわれており、今後は夏季を含む通年でマスクの着用が余儀なくされることが考えられる。また治療薬やワクチンによって新型コロナウイルス感染症が収束したとしても、心理的な影響から今後はマスクを着用する者が増加することも予想される。
【０００５】
このようにマスクを着用する機会が増えると、マスクもファッションの一部と捉え、その個性を求める者が現れることも十分考えられる。従来のマスクは、白色やブルー、ピンクなど多少の色合いは選択できるもののほとんどは無地であり、模様や形状などデザイン性を求めるマスクはそれほど市場に流通していない。
【０００６】
そこでこれまでにも、デザイン性を意識したマスクが提案されることもあった。例えば特許文献１では、模様（水玉模様やギザギザ模様）が施された織布を利用したマスクについて提案している。
【先行技術文献】
【特許文献】
【０００７】
【特許文献１】特開２０１８−１２７７２９号公報
【発明の概要】
【発明が解決しようとする課題】
【０００８】
特許文献１に開示されるマスクは、模様が施されていることから従来のものに比べてそのデザイン性は向上している。しかしながら特許文献１を含む従来のマスクは、市場に提供されたマスクから選択するほかなく、ユーザ自身でいわば独自性のあるマスクに加工することは容易ではない。そのため、他人と同じマスクを着用することも多く、ユーザの個性を引き出したマスクを着用することができなかった。
【０００９】
本願発明の課題は、従来が抱える問題を解決することであり、すなわち多様な組合せによってバリエーション豊かなデザインのマスクを得ることができる組合せ式マスクを提供することである。
【課題を解決するための手段】
【００１０】
本願発明は、マスクを２以上の分割体から構成するとともに、分割体どうしをスライドファスナーによって連結する、という点に着目したものであり、従来にはなかった発想に基づいてなされた発明である。
【００１１】
本願発明の組合せ式マスクは、２以上の分割体からなるマスクである。この分割体には、それぞれスライドファスナーの務歯が設けられており、分割体どうしはスライドファスナーによって連結可能であって分離可能である。したがって、２以上の分割体からなる組合せを変更することで、様々なデザインのマスクを形成することができる。
【００１２】
本願発明の組合せ式マスクは、中央分割体と右分割体、左分割体を分割体とするマスクとすることもできる。なお、中央分割体は人の口と鼻を覆う分割体であり、右分割体は右耳に掛ける分割体、左分割体は左耳に掛ける分割体である。また中央分割体の右端と左端にはスライドファスナーの務歯が設けられ、右分割体の一端にはスライドファスナーの務歯が、左分割体の一端にはスライドファスナーの務歯がそれぞれ設けられる。これにより中央分割体と右分割体はスライドファスナーによって連結可能であって分離可能とされ、中央分割体と左分割体はスライドファスナーによって連結可能であって分離可能とされる。
【００１３】
本願発明の組合せ式マスクは、右分割体と左分割体を分割体とするマスクとすることもできる。この場合、右分割体と左分割体がスライドファスナーによって連結可能かつ分離可能とされる。
【００１４】
本願発明の組合せ式マスクは、右収容部にガーゼの一部を収容するとともに、左収容部にガーゼの一部を収容することによって、口や鼻の前面にガーゼを配置し得るものとすることもできる。
【００１５】
本願発明の組合せ式マスクは、スライドファスナーを覆い隠すことができる覆体が設けられたものとすることもできる。
【発明の効果】
【００１６】
本願発明の組合せ式マスクには、次のような効果がある。
（１）スライドファスナーのスライダーを操作するだけで、２以上の分割体からなるマスクを容易に形成することができる。
（２）分割体を種々組合せることによって、バリエーション豊かなデザインのマスクを得ることができる。その結果、他人とは相違する（いわば被らない）マスクを着用することができ、マスクによってユーザの個性を示すことができる。
（３）ファッションとしてのマスクを楽しむことができることから、マスクの着用が促進され、社会的な衛生環境も向上する。
【図面の簡単な説明】
【００１７】
【図１】（ａ）は着色された左右の分割体と中央の分割体が分離した状態の組合せ式マスクの表面側を示す正面図、（ｂ）は着色された左右の分割体と中央の分割体が連結された状態の組合せ式マスクの表面側を示す正面図。
【図２】（ａ）は図形が付された中央の分割体と左右の分割体が分離した状態の組合せ式マスクの表面側を示す正面図、（ｂ）は図形が付された中央の分割体と左右の分割体が連結された状態の組合せ式マスクの表面側を示す正面図。
【図３】（ａ）は左右２つの分割体が分離した状態の組合せ式マスクの表面側を示す正面図、（ｂ）は左右２つの分割体が連結された状態の組合せ式マスクの表面側を示す正面図。
【図４】開口部として形成された右係止部と左係止部を備える組合せ式マスクの表面側を示す正面図。
【図５】ガーゼが配置可能な組合せ式マスクの裏面側を示す背面図。
【図６】分割体に覆体が設けられた組合せ式マスクの表面側を示す正面図。
【発明を実施するための形態】
【００１８】
本願発明の組合せ式マスクの実施の例を、図に基づいて説明する。なおマスクは、用途に応じて家庭用マスクと医療用マスク、産業用マスクに大別され、また家庭用マスクは、素材に応じてガーゼタイプと不織布タイプに大別され、さらに形状に応じて平型マスクとプリーツ型マスク、立体型マスクに大別されるが、本願発明の組合せ式マスクはこれらいずれの種類のマスクでも実施することができる。
【００１９】
本願発明の組合せ式マスクは、２以上の分割体で構成され、そしてこれら分割体がスライドファスナー（ジッパー、チャックと呼ばれることもある）によって連結されることを一つの特徴としている。スライドファスナーは、向かい合った２列の務歯（エレメント）とスライダーによって構成され、スライダーを順方向に移動すると２列の務歯が連結され、スライダーを逆方向に移動すると２列の務歯は分離される構造である。なお本願発明の組合せ式マスクは、務歯が金属製の金属ファスナーや、務歯が樹脂製の樹脂ファスナーなど、種々のスライドファスナーを用いることができる。
【００２０】
図１は、着色された分割体２００を備えた本願発明の組合せ式マスク１００の表面側を示す正面図であり、（ａ）は分割体２００が分離した状態、（ｂ）は分割体２００が連結された状態を示している。なお便宜上ここでは、着用したときに他者から見える側（つまり外側）のことを「表面側」、着用したときに口や鼻に接する側（つまり内側）のことを「裏面側」ということとする。
【００２１】
図１に示す組合せ式マスク１００は、３つの分割体２００、すなわち中央分割体２１０と右分割体２２０、左分割体２３０によって構成されている。このうち中央分割体２１０は、人が着用したときに口と鼻を覆う部分であり、面状の中央本体部２１１と務歯３１０を備えたものである。務歯３１０は、概ね上下に延びるように配置され、中央本体部２１１の右側端部と左側端部にそれぞれ取り付けられている。なお中央本体部２１１は、口や鼻の形状に合わせて自在に変形するように、伸縮性の高い素材を利用するとよい。また、従来のマスク同様、中央分割体２１０の中央付近に折り目を入れることも、上部にノーズフィットを設けることもできる。
【００２２】
右分割体２２０は、面状の右本体部２２１と右係止部２２２、務歯３１０を備えたものである。務歯３１０は、概ね上下に延びるように配置され、右本体部２２１の中央側端部（図では右側端部）に取り付けられる。また右係止部２２２は、右本体部２２１の一部をくり抜いて形成される挿通孔であって、人の右耳に掛けるために利用される。なお右本体部２２１は、右耳の形状に合わせて自在に変形するように、伸縮性の高い素材を利用するとよい。
【００２３】
左分割体２３０は、面状の左本体部２３１と左係止部２３２、務歯３１０を備えたものである。務歯３１０は、概ね上下に延びるように配置され、左本体部２３１の中央側端部（図では左側端部）に取り付けられる。また左係止部２３２は、左本体部２３１の一部をくり抜いて形成される挿通孔であって、人の左耳に掛けるために利用される。なお左本体部２３１は、左耳の形状に合わせて自在に変形するように、伸縮性の高い素材を利用するとよい。
【００２４】
図１では便宜上グレースケールで示しているが、右本体部２２１と左本体部２３１はそれぞれ着色されている。例えば、右本体部２２１を青色とし、左本体部２３１を赤色とするなど、それぞれ異なる色で着色することもできるし、右本体部２２１、左本体部２３１ともに緑色とするなど同じ色で着色することもできる。もちろん中央分割体２１０にも、種々の色で着色することができる。
【００２５】
図１（ｂ）では、中央分割体２１０と右分割体２２０がスライドファスナー３００によって連結されるとともに、中央分割体２１０と左分割体２３０がスライドファスナー３００によって連結されている。より詳しくは、中央分割体２１０の務歯３１０と右分割体２２０の務歯３１０を接近させたうえでスライダー３２０を順方向（図では上方）に移動することによって中央分割体２１０と右分割体２２０が連結され、同じく中央分割体２１０の務歯３１０と左分割体２３０の務歯３１０を接近させたうえでスライダー３２０を順方向に移動することによって中央分割体２１０と左分割体２３０が連結されている。これにより図１（ｂ）に示す組合せ式マスク１００は、人が着用できる状態となっている。なお図１では、中央分割体２１０の右分割体２２０側の務歯３１０と、左分割体２３０の務歯３１０に、それぞれスライダー３２０が取り付けられているが、スライダー３２０は向かい合った務歯３１０のうちどちらか一方の務歯３１０に取り付ければよい。
【００２６】
また図１（ｂ）に示す状態から、中央分割体２１０と右分割体２２０を連結するスライドファスナー３００のスライダー３２０を逆方向（図では下方）に移動することによって中央分割体２１０と右分割体２２０が分離され、同じく中央分割体２１０と左分割体２３０を連結するスライドファスナー３００のスライダー３２０を逆方向に移動することによって中央分割体２１０と左分割体２３０が分離され、図１（ａ）の状態となる。
【００２７】
図２は、図形が付された中央分割体２１０を備えた本願発明の組合せ式マスク１００の表面側を示す正面図であり、（ａ）は分割体２００が分離した状態、（ｂ）は分割体２００が連結された状態を示している。この図に示す組合せ式マスク１００も、図１と同様、中央分割体２１０と右分割体２２０、左分割体２３０によって構成されている。これら中央分割体２１０と右分割体２２０、左分割体２３０は、それぞれ同じ色（例えば黄色）で着色されており、中央分割体２１０には「笑顔を印象付ける口」の図形が付されている。もちろん図２に示す図形に限らず様々な図形を付することができ、中央分割体２１０に加えて（あるいは代えて）右分割体２２０や左分割体２３０に図形を付すこともできる。
【００２８】
分割体２００には、図形のほか、模様や画像、文字など、あるいはこれらを組合せたものを付すこともできる。また、図２に示す中央分割体２１０と、図１に示す右分割体２２０や左分割体２３０を組み合わせて組合せ式マスク１００を形成するもことできるし、図１に示す中央分割体２１０と、図２に示す右分割体２２０や左分割体２３０を組み合わせて組合せ式マスク１００を形成することもできる。このように組合せ式マスク１００は、種々の分割体２００を自由に組合せることができることから、多様なバリエーションの組合せ式マスク１００を形成することができ、ユーザの個性を表した、他人とは相違する（いわば被らない）マスクを着用することができるわけである。
【００２９】
図３は、左右２つの分割体２００で構成される本願発明の組合せ式マスク１００の表面側を示す正面図であり、（ａ）は分割体２００が分離した状態、（ｂ）は分割体２００が連結された状態を示している。この図に示す組合せ式マスク１００は、右分割体２２０と左分割体２３０によって構成されている。
【００３０】
図３では便宜上グレースケールで示しているが、右分割体２２０の右本体部２２１はその中央側（図では右側）半分が白色、右係止部２２２周辺が青色で着色されており、また左分割体２３０の左本体部２３１はその中央側（図では左側）半分が白色、左係止部２３２周辺が赤色で着色されている。もちろん右本体部２２１、左本体部２３１ともに緑色とするなど同じ色で着色することもできるし、全体的に着色することも、あるいは図形や模様、画像、文字などを付すこともできる。
【００３１】
図３（ｂ）では、右分割体２２０と左分割体２３０がスライドファスナー３００によって連結されている。より詳しくは、右分割体２２０の務歯３１０と左分割体２３０の務歯３１０を接近させたうえでスライダー３２０を順方向（図では上方）に移動することによって右分割体２２０と左分割体２３０が連結されている。これにより図３（ｂ）に示す組合せ式マスク１００は、人が着用できる状態となっている。なお図３では、左分割体２３０の務歯３１０にスライダー３２０が取り付けられているが、これに代えて右分割体２２０の務歯３１０にスライダー３２０を取り付けてもよい。
【００３２】
また図３（ｂ）に示す状態から、右分割体２２０と左分割体２３０を連結するスライドファスナー３００のスライダー３２０を逆方向（図では下方）に移動することによって右分割体２２０と左分割体２３０が分離され、図３（ａ）の状態となる。
【００３３】
図１〜図３に示す右分割体２２０の右係止部２２２と左分割体２３０の左係止部２３２は、いずれも右本体部２２１や左本体部２３１の一部を略円形にくり抜いて形成されるものであるが、これに限らず右係止部２２２と左係止部２３２は、図４に示すように比較的大きな開口部として形成することもできる。この場合、右本体部２２１と左本体部２３１は、帯状の部材で右係止部２２２や左係止部２３２の周り囲む枠状（あるいは環状）として形成するとよい。
【００３４】
本願発明の組合せ式マスク１００は、口や鼻の前面（表面）にガーゼを配置し得る構造のものとすることもできる。図５は、ガーゼが配置可能な組合せ式マスク１００の裏面側を示す背面図である。この図に示すように、口や鼻の前面にガーゼを配置する場合、右分割体２２０の裏面側に右収容部２２３を設け、左分割体２３０の裏面側に左収容部２３３を設けるとよい。右収容部２２３と左収容部２３３は、いわばポケットのような収容空間を有しており、ガーゼの一部（例えば右端）を右収容部２２３収容するとともに、ガーゼの一部（例えば左端）を左収容部２３３収容することによって、組合せ式マスク１００の裏面側にガーゼを装着することができる。これにより、ガーゼを容易に装着することができるとともに、その交換も容易であり、常に新鮮なガーゼで口や鼻を保護することができるわけである。
【００３５】
また本願発明の組合せ式マスク１００は、スライドファスナー３００を隠し得る構造のものとすることもできる。図６は、分割体２００に覆体４００が設けられた組合せ式マスク１００の表面側を示す正面図である。この図に示すように、スライドファスナー３００を隠したい（見せたくない）場合、中央分割体２１０の表面側に覆体４００を取り付けるとよい。この覆体４００は、細幅の面状（つまり帯状）の部材であり、そのうち上下に延びる一端（一辺）のみが中央分割体２１０に固定されている。したがって覆体４００は、この固定された一端を回転軸（図６）として回転可能であり、すなわち扉のように覆体４００を開閉することができる。例えば、図６の右側に示す覆体４００は、回転する（いわば閉扉する）ことによってスライドファスナー３００を覆い隠しており、図６の左側に示す覆体４００は、回転する（いわば開扉する）ことによってスライドファスナー３００を表出させている。このように覆体４００を設けることによってスライドファスナー３００を隠すことができ、より美観に優れた組合せ式マスク１００とすることができる。なお、図６では、中央分割体２１０の表面側に覆体４００を取り付けているが、これに限らず右分割体２２０や左分割体２３０の表面側に覆体４００を取り付けることもできる。
【産業上の利用可能性】
【００３６】
本願発明の組合せ式マスクは、家庭用マスクや医療用マスク、産業用マスクといったマスクに利用することができる。本願発明は、ユーザの個性を示すことができ、あるいはファッションとしてのマスクを楽しむことができることから、マスクの着用が促進され、ひいては社会的な衛生環境も向上することを考えれば、産業上利用できるばかりでなく社会的にも大きな貢献が期待できる発明といえる。
【符号の説明】
【００３７】
１００  本願発明の組合せ式マスク
２００  （組合せ式マスクの）分割体
２１０  （分割体である）中央分割体
２１１  （中央分割体の）中央本体部
２２０  （分割体である）右分割体
２２１  （右分割体の）右本体部
２２２  （右分割体の）右係止部
２２３  （右分割体の）右収容部
２３０  （分割体である）左分割体
２３１  （左分割体の）左本体部
２３２  （左分割体の）左係止部
２３３  （左分割体の）左収容部
３００  （組合せ式マスクの）スライドファスナー
３１０  （スライドファスナーの）務歯
３２０  （スライドファスナーの）スライダー
４００  （組合せ式マスクの）覆体
【要約】
【課題】本願発明の課題は、従来が抱える問題を解決することであり、すなわち多様な組合せによってバリエーション豊かなデザインのマスクを得ることができる組合せ式マスクを提供することである。
【解決手段】本願発明の組合せ式マスクは、２以上の分割体からなるマスクである。この分割体には、それぞれスライドファスナーの務歯が設けられており、分割体どうしはスライドファスナーによって連結可能であって分離可能である。したがって、２以上の分割体からなる組合せを変更することで、様々なデザインのマスクを形成することができる。
【選択図】図１【図１】
0006821223.tif 000002
【図２】
0006821223.tif 000003
【図３】
0006821223.tif 000004
【図４】
0006821223.tif 000005
【図５】
0006821223.tif 000006
【図６】
0006821223.tif 000007